【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
振幅変調されたＲＦ電界の変調エンベロープを表示するフィールド分析装置であって、
前記ＲＦ電界のデジタル標本を生成するフィールドセンサと、
前記フィールドセンサに接続され、前記変調エンベロープの時間間隔にわたる振幅の変化を示すプロットを含むウェブページをパーソナルコンピュータへの表示用に生成するフィールドプロセッサと、
前記ウェブページを取得および表示するパーソナルコンピュータと
を含み、前記パーソナルコンピュータが、前記フィールドセンサの非線形性を表すデータを格納し、格納されたデータを利用して前記非線形性を補正する手段を含み、表示された変調エンベロープが、前記フィールドセンサの位置における前記ＲＦ電界の変調エンベロープに対応するフィールド分析装置。
【請求項２】
前記フィールドセンサが、
アンテナと、
前記アンテナに接続された入力を備え、出力を提供する検出器と、
前記検出器に応答し、前記アンテナにより受信された振幅変調されたＲＦ電界の振幅を表す連続した標本をデジタル形式で提供する標本化回路と
を含むフィールドセンサユニットであり、
前記フィールドプロセッサが、
前記連続した標本を受信する受信機と、
前記受信機に応答し、前記標本を保持するバッファメモリと、前記バッファメモリからパーソナルコンピュータに表示されるウェブページにデータパケットをアップロードするトリガ応答手段とを含むマイクロコントローラと
を含むフィールドプロセッシングユニットであり、
前記パーソナルコンピュータが、前記データパケットを取得し、前記データパケットを前記ＲＦ電界の前記変調エンベロープのオシロスコープ表示としてウェブページに表示するパーソナルコンピュータである、請求項１に記載のフィールド分析装置。
【請求項３】
前記標本化回路が、それぞれのグループが前記アンテナにより受信された振幅変調されたＲＦ電界の振幅の標本を表す連続したグループの形式でデータビットのシリアルストリームを生成するために、クロックパルス発生器と、前記クロックパルス発生器からのクロックパルスおよび前記検出器の出力に応答するアナログ／デジタル変換器とを含む請求項２に記載のフィールド分析装置。
【請求項４】
前記フィールドセンサユニットが、前記アナログ／デジタル変換器からの電気出力を受信し、前記アナログ／デジタル変換器により作成されたデータビットの前記シリアルストリームによって表されるデータに対応するデータを光ビームの形式で転送するための変調光信号を作成するように接続された電気―光変換器を含み、前記フィールド分析装置が、前記光ビームを受信し前記光ビームを前記フィールドプロセッシングユニットに搬送するために前記電気―光変換器に接続された光ファイバケーブルを含み、前記受信機が、前記光ビームを受信し、前記アナログ／デジタル変換器により作成されたデータビットの前記シリアルストリームに対応するデータビットのストリームの形式で電気信号を生成するために、前記光ファイバケーブルに接続された光受信機である請求項３に記載のフィールド分析装置。
【請求項５】
前記フィールドセンサユニットが、デジタル形式の前記連続した標本によって表されるデータに対応するデータを光ビームの形式で転送するための変調光信号を作成するために、前記連続した標本を受信するように接続された電気―光変換器を含み、前記フィールド分析装置が、前記光ビームを受信して前記フィールドプロセッシングユニットに搬送するために前記電気―光変換器に接続された光ファイバケーブルを含み、前記受信機が、前記光ビームを受信し、前記連続した標本に対応するデータビットのストリームの形式で電気信号を生成するために、前記光ファイバケーブルに接続された光受信機である請求項２に記載のフィールド分析装置。
【請求項６】
前記標本化回路が、それぞれのグループが前記アンテナにより受信された振幅変調されたＲＦ電化の振幅の標本を表す連続したグループの形式でデータビットのシリアルストリームを生成するために、クロックパルス発生器と、前記クロックパルス発生器からのクロックパルスおよび前記検出器の出力に応答するアナログ／デジタル変換器とを含み、
前記フィールドプロセッシングユニットが、データビットのストリームから同期クロック信号を導出するクロック回復回路を含み、
前記マイクロコントローラが、前記データビットのストリームと前記同期クロック信号とを受信するように配置された請求項２に記載のフィールド分析装置。
【請求項７】
前記フィールドプロセッシングユニットが、前記バッファメモリに応答して前記バッファメモリ内のデータビットの誤整列を検出および補正するビット整列補正回路を含む請求項２に記載のフィールド分析装置。
【請求項８】
前記フィールドセンサユニットの非線形性を表すデータが、前記フィールドプロセッシングユニットのメモリに永続的に格納され、前記パーソナルコンピュータが、前記非線形性を表すデータを前記フィールドプロセッシングユニットの前記メモリからダウンロードして一時的に格納し、格納されたデータを利用して前記非線形性を補正する手段を含み、表示された変調エンベロープが、前記アンテナの位置における前記ＲＦ電界の変調エンベロープに対応する請求項２に記載のフィールド分析装置。
【請求項９】
前記標本化回路が、それぞれのグループが前記アンテナにより受信された振幅変調されたＲＦ電化の振幅の標本を表す連続したグループの形式でデータビットのシリアルストリームを生成するために、クロックパルス発生器と、前記クロックパルス発生器からのクロックパルスおよび前記検出器の出力に応答するアナログ／デジタル変換器とを含み、
前記フィールドセンサが、前記アナログ／デジタル変換器からの電気出力を受信し、前記アナログ／デジタル変換器により作成されたデータビットの前記シリアルストリームによって表されるデータに対応するデータを光ビームの形式で転送するための変調光信号を生成するように接続された電気―光変換器と、前記光ビームを受信し前記光ビームを前記フィールドプロセッシングユニットに搬送するために前記電気―光変換器に接続された光ファイバケーブルとをさらに含み、
前記フィールドプロセッシングユニットの前記受信機が、前記光ビームを受信し、前記アナログ／デジタル変換器により作成されたデータビットの前記シリアルストリームに対応するデータビットのストリームの形式で電気信号を生成するために前記光ファイバケーブルに接続された光受信機であり、前記フィールドプロセッシングユニットが、データビットの前記ストリームから同期クロック信号を導出するクロック回復回路と、データビットのストリームとクロック信号とを前記光受信機から受信し、前記光受信機からデータビットを受信するための前記バッファメモリを含む前記マイクロコントローラと、前記バッファメモリに応答して前記バッファメモリ内のデータビットの誤整列を検出および補正するビット整列補正回路とを含み、
前記パーソナルコンピュータが、前記フィールドセンサの非線形性を表すデータを格納し、格納されたデータを利用して前記非線形性を補正する手段を含み、表示された変調エンベロープが、前記アンテナの位置における前記ＲＦ電界の変調エンベロープに対応する、請求項２に記載のフィールド分析装置。
【請求項１０】
振幅変調されたＲＦ電界の変調エンベロープを表示するフィールド分析装置であって、
アンテナと、
前記アンテナに接続された入力を備え、出力を提供する検出器と、
それぞれのグループが前記アンテナにより受信された振幅変調されたＲＦ電化の振幅の標本を表す連続したグループの形式でデータビットのシリアルストリームを生成するために、クロックパルス発生器と、前記クロックパルス発生器からのクロックパルスおよび前記検出器の出力に応答するアナログ／デジタル変換器とを含む標本化回路と、
前記アナログ／デジタル変換器からの電気出力を受信し、前記アナログ／デジタル変換器により作成されたデータビットの前記シリアルストリームによって表されるデータに対応するデータを光ビームの形式で転送するための変調光信号を生成するように接続された電気―光変換器と
を含むフィールドセンサユニットと、
前記光ビームを受信し前記光ビームをフィールドプロセッシングユニットに搬送するために前記電気―光変換器に接続された光ファイバケーブルと、
前記光ビームを受信し、前記アナログ／デジタル変換器により作成されたデータビットの前記シリアルストリームに対応するデータビットのストリームの形式で電気信号を生成するために前記光ファイバケーブルに接続された光受信機と、
データビットの前記ストリームから同期クロック信号を導出するクロック回復回路と、
データビットのストリームとクロック信号とを前記光受信機から受信し、前記光受信機からデータビットを受信するためのバッファメモリを含むマイクロコントローラと、
前記バッファメモリに応答して前記バッファメモリ内のデータビットの誤整列を検出および補正するビット整列補正回路と、前記バッファメモリからパーソナルコンピュータに表示されるウェブページにデータパケットをアップロードするトリガ応答手段と
を含むフィールドプロセッシングユニットと、
前記データパケットを取得し、前記データパケットを前記ＲＦ電界の前記変調エンベロープのオシロスコープ表示としてウェブページに表示するパーソナルコンピュータであって、前記フィールドセンサユニットの非線形性を表すデータを格納し、格納されたデータを利用して前記非線形性を補正する手段を含み、表示された変調エンベロープが、前記アンテナの位置における前記ＲＦ電界の変調エンベロープに対応するパーソナルコンピュータと
を含むフィールド分析装置。